(57)【特許請求の範囲】
【請求項１】
真空弁と、汚水ます本体内の水位を検知する検知管と、汚水を真空下水管路に吸い込む吸込管と、を有する真空弁装置を、汚水ます本体に取り付ける真空弁装置の取付構造であって、
前記真空弁が設置される架台には前記検知管と前記吸込管とが一体に設置されて、前記架台は前記汚水ます本体に着脱可能に取り付けられることを特徴とする真空弁装置の取付構造。
【請求項２】
前記汚水ます本体内には、位置決めピンと、長孔と、前記長孔内にスライド自在に設置される蝶ねじと、が設けられた支持具が取り付けられ、
前記架台には、前記位置決めピンに対応する位置に位置決め孔が設けられるとともに、前記長孔に対応する位置に長切欠が設けられて、
前記位置決め孔には前記位置決めピンが挿入され、前記蝶ねじは前記長切欠内にスライドされて前記架台を前記支持具に締め付けることを特徴とする請求項１に記載の真空弁装置の取付構造。
【請求項３】
前記真空弁を作動させる真空弁コントローラは、前記汚水ます本体に着脱可能に取り付けられることを特徴とする請求項１又は請求項２に記載の真空弁装置の取付構造。
【請求項４】
前記真空弁コントローラにはブラケットが取り付けられ、前記ブラケット又は前記汚水ます本体の一方には挿込みピンが設けられるとともに、他方には挿込み孔が設けられて、
前記挿込みピンは前記挿込み孔に挿入されることを特徴とする請求項３に記載の真空弁装置の取付構造。
【請求項５】
前記真空弁には、端面にＯリングが嵌め合わされた接続口が取り付けられるとともに、前記汚水ます本体から前記真空下水管路への流出管にはフランジ面が設けられて、
前記接続口の端面と前記フランジ面とが接合されてヘルール継手によって締結されることを特徴とする請求項１乃至請求項４のいずれか一項に記載の真空弁装置の取付構造。
【請求項６】
請求項１乃至請求項５のいずれか一項に記載の真空弁装置の取付構造を備えることを特徴とする真空弁付き汚水ます。
【発明の詳細な説明】
【技術分野】
【０００１】
本発明は、真空式下水道システムに使用される真空弁付き汚水ますと、汚水ます本体に真空弁装置を取り付ける真空弁装置の取付構造と、に関するものである。
【背景技術】
【０００２】
近年、自然流下式の下水道システムに代えて、汚水ますに溜まった汚水を真空圧によって収集する真空式下水道システムの採用が増加している。
【０００３】
この真空式下水道システムでは、住居や工場などから排出される汚水は、真空弁付き汚水ますに溜められ、所定量だけ溜められると真空圧によって空気とともに気液混送流として真空下水管に取り込まれて搬送される。
【０００４】
ところで、この真空式下水道システムに用いられる真空弁付き汚水ますは、戸建敷地内などの狭小地に設置されることが多くなっている。このような場合、狭小地に設置される真空弁付き汚水ますとして小口径のものを用いると、真空弁の取付け作業や補修が困難になるという問題があった。
【０００５】
そこで、例えば特許文献１には、真空弁がます本体から取外し可能に取付けられ、この真空弁の吸込み側接続部が鉛直下方に屈曲されて、ます本体に取付けられた吸込み管とゴム輪受口接合で接続されることで、口径が比較的小さい真空弁付き汚水ますにおいても、真空弁の取付けや取外しを容易に行うことができる真空弁付き汚水ますが開示されている。
【０００６】
また、特許文献２には、ます本体の上部を環状体として構成し、この環状体に支持されたフレームに真空弁を取り付けることで、現場で真空弁を組み付ける作業が不要となる真空弁ユニット用パーツが開示されている。
【特許文献１】特開２００４−５２４１２号公報
【特許文献２】特許第２８５８５８８号公報
【発明の開示】
【発明が解決しようとする課題】
【０００７】
しかしながら、前記した特許文献１の構成では、真空弁を取外すことはできるものの、検知管や吸込管などを取外すことは困難であった。
【０００８】
また、前記した特許文献２の構成では、真空弁が取り付けられるフレームが環状体に固定されているため、真空弁を取外すことはできなかった。
【０００９】
そこで、本発明は、真空弁装置一式を容易に着脱することができる真空弁装置の取付構造と、この真空弁装置の取付構造を備える真空弁付き汚水ますと、を提供することを目的としている。
【課題を解決するための手段】
【００１０】
前記目的を達成するために、本発明の真空弁装置の取付構造は、真空弁と、汚水ます本体内の水位を検知する検知管と、汚水を真空下水管路に吸い込む吸込管と、を有する真空弁装置を、汚水ます本体に取り付ける真空弁装置の取付構造であって、前記真空弁が設置される架台には前記検知管と前記吸込管とが一体に設置されて、前記架台は前記汚水ます本体に着脱可能に取り付けられることを特徴とする。
【００１１】
また、前記汚水ます本体内には、位置決めピンと、長孔と、前記長孔内にスライド自在に設置される蝶ねじと、が設けられた支持具が取り付けられ、前記架台には、前記位置決めピンに対応する位置に位置決め孔が設けられるとともに、前記長孔に対応する位置に長切欠が設けられて、前記位置決め孔には前記位置決めピンが挿入され、前記蝶ねじは前記長切欠内にスライドされて前記架台を前記支持具に締め付ける構成とすることができる。
【００１２】
さらに、前記真空弁を作動させる真空弁コントローラは、前記汚水ます本体に着脱可能に取り付けられることが好ましい。
【００１３】
そして、前記真空弁コントローラにはブラケットが取り付けられ、前記ブラケット又は前記汚水ます本体の一方には挿込みピンが設けられるとともに、他方には挿込み孔が設けられて、前記挿込みピンは前記挿込み孔に挿入される構成とすることができる。
【００１４】
また、前記真空弁には、端面にＯリングが嵌め合わされた接続口が取り付けられるとともに、前記汚水ます本体から前記真空下水管路への流出管にはフランジ面が設けられて、前記接続口の端面と前記フランジ面とが接合されてヘルール継手によって締結されることが好ましい。
【００１５】
さらに、本発明の真空弁付き汚水ますは、上記したいずれかに記載の真空弁装置の取付構造を備えることを特徴とする。
【発明の効果】
【００１６】
このように、本発明の真空弁装置の取付構造は、真空弁、検知管、吸込管、を有する真空弁装置を、汚水ます本体に取り付ける真空弁装置の取付構造であって、真空弁が設置される架台には検知管と吸込管とが一体に設置されて、架台は汚水ます本体に着脱可能に取り付けられる。
【００１７】
したがって、真空弁装置を架台ごと汚水ます本体から取外すことで、真空弁装置一式を容易に着脱することができる。
【００１８】
また、汚水ます本体内には、位置決めピン、長孔、蝶ねじ、が設けられた支持具が取り付けられ、架台には、位置決め孔と長切欠が設けられて、位置決め孔には位置決めピンが挿入され、蝶ねじは長切欠内にスライドされて架台を支持具に締め付ける。
【００１９】
したがって、簡易な構成によって、真空弁装置を架台ごと汚水ます本体から取外して真空弁装置一式を容易に着脱することができる。
【００２０】
さらに、真空弁を作動させる真空弁コントローラは、汚水ます本体に着脱可能に取り付けられることで、真空弁コントローラを容易に着脱することができる。
【００２１】
そして、真空弁コントローラのブラケット又は汚水ます本体の一方には挿込みピンが設けられるとともに、他方には挿込み孔が設けられて、挿込みピンは挿込み孔に挿入されることで、簡易な構成によって、真空弁コントローラを容易に着脱することができる。
【００２２】
また、真空弁には端面にＯリングが嵌め合わされた接続口が取り付けられるとともに、流出管にはフランジ面が設けられて、接続口の端面とフランジ面とが接合されてヘルール継手によって締結されることで、真空弁と流出管とを容易に切り離すことができる。
【００２３】
さらに、本発明の真空弁付き汚水ますは、上記したいずれかに記載の真空弁装置の取付構造を備えることで、真空弁装置の着脱に要する時間を短縮したメンテナンス性の良好な真空弁付き汚水ますになる。
【発明を実施するための最良の形態】
【００２４】
以下、本発明の最良の実施の形態について図面を参照して説明する。
【００２５】
まず、図２を用いて本発明の真空弁付き汚水ますＵを備える真空式下水道システムＳの全体構成を説明する。
【００２６】
本発明の真空式下水道システムＳでは、図２に示すように、家庭や工場などから排出された排水は自然流下管路９２を通じて真空弁付き汚水ますＵに流入する。
【００２７】
つづいて、この真空弁付き汚水ますＵに流入した汚水は、真空ステーション９６の汚水循環ポンプ９６ａで発生された真空圧（大気圧よりも低くなった圧力）によって、真空下水管路としての流下部９３やリフト部９４を逐次通過するように気液混送流となって搬送される。
【００２８】
このようにして真空ステーション９６まで到達した汚水は、圧送ポンプ９６ｂによって下水処理施設に圧送される。
【００２９】
この真空ステーション９６は、汚水循環ポンプ９６ａによって受槽内の汚水をエジェクタに供給し、真空下水管内部を０．４気圧程度（真空状態）に保持することで、各家庭などから汚水を吸引して集めている。
【００３０】
なお、この真空を発生させる真空圧発生装置は、エジェクタを用いたエジェクタ式のものに限定されるものではなく、真空ポンプを用いた真空ポンプ式のものを適用することもできる。
【００３１】
また、真空下水管路としての流下部９３やリフト部９４としては、可撓性・伸縮性・耐摩耗性を有する下水道用ポリエチレン管や硬質塩化ビニル管などが用いられる。
【００３２】
そして、上記の真空式下水道システムＳは、真空と大気圧との差圧によって汚水を強制的に収集・搬送するシステムであり、真空下水管路の埋設深度が浅い、埋設物の回避が容易、真空弁付き汚水ますに電源が不要、汚水の漏れがない、管路の清掃が不要、スカムが発生しにくい、などの特徴を備えている。
【００３３】
そして、本実施の形態の真空弁付き汚水ますＵは、図３，４に示すように、汚水ます２の本体２０内に、真空弁装置として、真空弁１１と、汚水ます２の本体２０内の水位を検知する検知管１２と、汚水を真空下水管路に吸い込む吸込管１３と、この真空弁１１の動作を制御する真空弁コントローラ１４と、を備えている。
【００３４】
さらに、この真空弁１１の流出管１７側からは、バイパス管８６が分岐されており、このバイパス管８６の付け根近傍には真空弁コントローラ１４に真空圧を伝達する真空ホース８１が接続されている。このバイパス管８６は、真空弁１１が開弁しない異常時に、バルブ８４を開けて汚水があふれ出すのを防止するものである。
【００３５】
加えて、検知管１２と真空弁コントローラ１４は検知ホース８２によって接続され、真空弁コントローラ１４と真空弁１１は制御ホース８３によって接続されている。
【００３６】
この汚水ます２は、家庭などから排出された汚水を受容して一時的に貯留するために設けられるもので、円筒状の本体２０と、この本体２０の上部の内側に配置される支持体２１と、本体２０の上方を塞ぐ開閉可能なふた２２と、本体２０の下方を塞ぐ底２３と、を備えている。
【００３７】
この支持体２１は、厚肉の板状に形成されるもので、上面には真空弁コントローラ１４のブラケット１５が有する挿込みピン１５ａを挿入するための一対の挿込み孔２１ａ，２１ａが設けられている（図６参照）。
【００３８】
また、この汚水ます２には、本体２０のやや下よりに家庭などから汚水を取り込むための流入管１９が挿入され、本体２０のやや上よりに汚水を真空下水管路に排出するための流出管１７が挿入されている。
【００３９】
さらに、真空弁１１は、真空弁コントローラ１４を介して伝達された真空圧によって弁体が開閉制御されるもので、呼び口径５０ｍｍの小口径のものが用いられる。
【００４０】
この真空弁１１は、次のように動作する。
【００４１】
すなわち、汚水ます２の本体２０内の汚水の水位が上昇し、検知管１２内の空気圧が増加して所定の圧力になると、真空弁コントローラ１４によって真空弁１１が開かれて、真空圧が吸込管１３に伝達される。
【００４２】
そうすると、本体２０内に貯留された汚水は、大気圧と真空圧との差圧によって押し出されるようにして吸込管１３に吸い込まれる。
【００４３】
つづいて、流出管１７を通じて汚水が排出されることで本体２０内の水位が低下すると、吸込管１３を通じて空気が吸い込まれるようになり、一定時間経過後に真空弁１１がばねの力によって閉じられる。
【００４４】
このように、本体２０内の水位上昇と汚水吸い込みによる水位低下という上記の動作を繰り返すことによって、汚水を逐次処理的に真空ステーション９６まで搬送する。
【００４５】
そして、本実施の形態の真空弁１１には、図５に示すように、流出管１７側に接続口１６が嵌め合わされ、流出管１７の端部には鍔状のフランジ面１７ａが形成されて、接続口１６の端面とフランジ面１７ａとが付き合わされてヘルール継手１８によって締結されている。
【００４６】
この接続口１６は、可撓性を有する樹脂などによって厚肉の円筒状に形成されて真空弁１１に接着されるもので、流出管１７に向いた端面に設けられた円形溝にはＯリング１６ａが嵌め込まれている。
【００４７】
したがって、真空弁装置を着脱する際には、このヘルール継手１８の蝶ねじ１８ａを手で緩めてヘルール継手１８を取外すことで、真空式下水道システムＳから真空弁装置を切り離せるように構成されている。
【００４８】
また、検知管１２は、図３，４，８に示すように、円弧切欠３５に嵌め込まれてクランプバンド３６で締め付けられることで、架台３に一体的に設置されるもので、本体２０の容量や真空圧などに基づいて下端の高さが調整されている。
【００４９】
さらに、吸込管１３は、図１，３に示すように、真空弁１１に連続するエルボを介して接着固定されるもので、汚水を吸い込むことができるように、汚水ます２の本体２０の下部まで延びている。
【００５０】
そして、本実施の形態の真空弁コントローラ１４は、図６に示すように、金属板を折り曲げるようにして形成されたブラケット１５に設置されており、このブラケット１５を介して汚水ます２の本体２０に着脱可能に取り付けられている。
【００５１】
このブラケット１５は、金属などを折り曲げることによってＬ字状に形成されるもので、Ｌ字の平板部には真空弁コントローラ１４が設置され、Ｌ字の立板部の上縁はさらに折り曲げられて挿込みピン１５ａ，１５ａが下面から突出するように配置されている。
【００５２】
したがって、真空弁コントローラ１４は、この挿込みピン１５ａ，１５ａを汚水ます２の本体２０に設けた支持体２１の挿込み孔２１ａ，２１ａに挿入することで、汚水ます２の本体２０に掛止されて着脱可能になっている。
【００５３】
そして、本実施の形態の真空弁装置の取付構造Ｃでは、図７に示すように、真空弁１１が設置される架台３には検知管１２と吸込管１３とが一体に設置されており、この架台３は汚水ます２の本体２０に設けた支持具としてのステー４，４に着脱可能に取り付けられている。
【００５４】
この架台３は、金属によって板状に形成されるもので、図８に示すように、変形した半円形状の本体板３０に、ステー４，４の位置決めピン４１，４１に挿入される位置決め孔３１，３１と、ステー４，４の長孔４２，４２と重ね合わされて蝶ねじ４３，４３がスライドされる長切欠３２，３２と、真空弁１１を固定する半割バンド３３，３４と、検知管１２を保持する円弧切欠３５，３５と、検知管１２を締め付けて固定するクランプバンド３６と、ステー４，４と重ね合わせる際に蝶ねじ４３，４３を避けるための隅切欠３７，３７と、が設けられている。
【００５５】
この位置決め孔３１は、本体板３０の直径方向の両端近傍に、円形の貫通孔として１つずつ設けられるもので、ステー４の位置決めピン４１の位置に対応して設けられている。
【００５６】
同様に、長切欠３２は、本体板３０の直径方向の両端近傍に、隅切欠３７に接続する所定長さの切欠として１つずつ設けられるもので、ステー４の長孔４２の位置に対応して設けられている。
【００５７】
したがって、この長切欠３２は、長孔４２よりも隅切欠３７に対応する長さだけ短く形成されており、架台３をステー４，４上に載置する際に、ステー４，４に取り付けられた蝶ねじ４３，４３を隅切欠３７の位置にスライドさせて避けることができるようになっている。
【００５８】
また、支持具としてのステー４，４は、図８に示すように、金属によってＬ字状に屈曲した板状に形成されるもので、Ｌ字の平板部である本体板４０には位置決めピン４１や長孔４２が設けられ、Ｌ字の立板部である取付板４４はボルト４５によって汚水ます２の本体２０に固定されている。
【００５９】
さらに、この長孔４２は、位置決めピン４１を中心とした回動を規制できるように、長手方向の延長線上に位置決めピン４１が位置するように方向づけられている。
【００６０】
そして、この長孔４２には、スライドできるように孔幅よりやや細い径を有する蝶ねじ４３が配置されており、裏側には落下防止用にナット４３ｂが溶接されるとともに、表側には架台３とステー４とを締め付けるためのワッシャー４３ａが挿入されている（図９参照）。
【００６１】
したがって、架台３をステー４，４に取り付ける際には、図９（ａ），（ｂ）に示すように、あらかじめ蝶ねじ４３を位置決めピン４１から遠い方（隅切欠３７の位置）にずらしておき、架台３をステー４に重ね合わせる。そうすると、架台３に設けた長切欠３２，３２とステー４，４に設けた長孔４２，４２とが重なり合った状態となる。
【００６２】
次に、架台３をステー４，４上に重ね合わせる際には、位置決めピン４１を位置決め孔３１に挿入して位置を決め、あらかじめ退避させておいた蝶ねじ４３を位置決めピン４１に近づく方向にずらして、蝶ねじ４３を手で締め付けることで両者を固定する。
【００６３】
逆に、架台３をステー４，４から取外す際には、位置決めピン４１に近い位置にある蝶ねじ４３を手で緩めて、位置決めピン４１から遠ざかる方向にずらしておく。
【００６４】
そして、蝶ねじ４３を架台３の隅切欠３７に対応する位置までずらした後に、位置決めピン４１を位置決め孔３１から引き抜くようにして、架台３をステー４，４から取外す。
【００６５】
次に、本実施の形態の真空弁装置の取付構造Ｃの作用について説明する。
【００６６】
このように、本実施の形態の真空弁装置の取付構造Ｃは、真空弁１１、検知管１２、吸込管１３、を有する真空弁装置を、汚水ます２の本体２０に取り付ける真空弁装置の取付構造Ｃであって、真空弁１１が設置される架台３には検知管１２と吸込管１３とが一体に設置されて、架台３は汚水ます２の本体２０に着脱可能に取り付けられる。
【００６７】
つまり、真空弁装置一式（真空弁コントローラ１４を除く）が設置された架台３と支持具としてのステー４，４とは、着脱が容易にできるように形成された着脱手段によって相互に固定されている。
【００６８】
したがって、真空弁装置を架台３ごと汚水ます２の本体２０から取外すことで、真空弁装置一式を容易に着脱することができる。
【００６９】
すなわち、真空弁１１だけでなく検知管１２及び吸込管１３が架台３に設置されていることで、これらが設置された状態のまま真空弁装置一式の着脱作業を行うため、これらを架台３から切り離す工程を省略できる。
【００７０】
加えて、このように汚水ます２の本体２０の中での作業量が減少すれば、汚水ます２中に工具類を落とす可能性を小さくなるうえに、無理な姿勢となって作業がしにくいこともなくなる。
【００７１】
さらに、工具類を落とした場合にも、架台３ごと真空弁装置一式を取外すことができることで、本体２０内に広いスペースがあるため、落とした工具類を網などですくい取ることができる。
【００７２】
そして、架台３とともに検知管１２や吸込管１３を取り出せることで、これらの位置調整が容易になる。
【００７３】
また、真空弁１１を作動させる真空弁コントローラ１４は、汚水ます２の本体２０に着脱可能に取り付けられることで、真空弁コントローラ１４を容易に着脱することができる。
【００７４】
加えて、このように真空弁コントローラ１４を容易に着脱することができれば、架台３に設置された装置も含めて主要な装置全体を地上へ取外すことができるようになり、いっそうメンテナンスのしやすい真空弁装置の取付構造Ｃとなる。
【００７５】
具体的には、従来、真空弁１１の取り替え作業は、主要な作業として、マンホールの開口、真空弁コントローラ１４の除去、流出管１７の分離、架台３の取外し、真空弁１１の取替え、架台３の取付け、検知管１２の取付調整、流出管１７の取付け、真空弁１１の固定、真空弁コントローラ１４の取付け、の各工程によって構成されている。
【００７６】
このうち、上記のように架台３や真空弁コントローラ１４を着脱可能にすることで、特に、真空弁コントローラ１４の除去及び取付け、架台３の取外し及び取付け、検知管１２の取付調整、に要する時間を少なくできる。
【００７７】
さらに、汚水ます２の本体２０内には、位置決めピン４１，４１、長孔４２，４２、蝶ねじ４３，４３、が設けられた支持具としてのステー４，４が取り付けられ、架台３には、位置決め孔３１，３１と長切欠３２，３２が設けられて、位置決め孔３１，３１には位置決めピン４１，４１が挿入され、蝶ねじ４３，４３は長切欠３２，３２内にスライドされて架台３を支持具としてのステー４，４に締め付ける。
【００７８】
したがって、簡易な構成によって、真空弁装置を架台３ごと汚水ます２の本体２０から取外して真空弁装置一式を容易に着脱することができる。
【００７９】
つまり、着脱手段が、位置決めピン４１と位置決め孔３１を有する位置決め手段と、長孔４２と長切欠３２と蝶ねじ４３とを有する固定手段（締結手段）と、を別々に備えることで、それぞれの手段の構成を簡素化して作業を別々に行うことができる。
【００８０】
加えて、この位置決め手段や固定手段は、架台３やステー４，４に取り付けられているため、ボルトのように落下する可能性のある部品を用いることなく、作業を行うことができる。
【００８１】
さらに、架台３の取外しの際には、蝶ねじ４３，４３を位置決めピン４１，４１から遠ざかるようにずらしても、架台３はステー４，４上に載置された状態になっているため、架台３を手で保持し続ける必要がない。
【００８２】
そして、真空弁コントローラ１４には挿込みピン１５ａ，１５ａを有するブラケット１５が取り付けられ、挿込みピン１５ａ，１５ａは汚水ます２の本体２０の支持体２１に設けられた挿込み孔２１ａ，２１ａに挿入されることで、簡易な構成によって、真空弁コントローラ１４を容易に着脱することができる。
【００８３】
加えて、このように真空弁コントローラ１４をブラケット１５ごと取外すことができれば、ステー４，４から架台３を取外す際に上方に位置するブラケット１５が障害となることもない。
【００８４】
また、真空弁１１には端面にＯリング１６ａが嵌め合わされた接続口１６が取り付けられるとともに、流出管１７にはフランジ面１７ａが設けられて、接続口１６の端面とフランジ面１７ａとが接合されてヘルール継手１８によって締結されることで、真空弁１１と流出管１７とを容易に切り離すことができる。
【００８５】
加えて、このヘルール継手１８は、一方の手で保持しつつ他方の手で蝶ねじ１８ａを緩めることで容易に取外すことができるため、部品が落下する可能性を抑制した接合構造となる。
【００８６】
さらに、本実施の形態の真空弁付き汚水ますＵは、上記したいずれかに記載の真空弁装置の取付構造Ｃを備えることで、真空弁装置の着脱に要する時間を短縮したメンテナンス性の良好な真空弁付き汚水ますＵになる。
【００８７】
以上、図面を参照して、本発明の最良の実施の形態を詳述してきたが、具体的な構成は、この実施の形態に限らず、本発明の要旨を逸脱しない程度の設計的変更は、本発明に含まれる。
【００８８】
例えば、前記実施の形態では、真空弁コントローラ１４が着脱可能に取り付けられる場合について説明したが、これに限定されるものではなく、架台３の取外し作業に支障がなければ、着脱可能になっていないもの（真空弁１１の本体の上端部に取付けられた構造）であっても適用できる。
【００８９】
また、前記実施の形態では、支持具としてのステー４が位置決めピン４１、長孔４２、蝶ねじ４３、を備え、架台３が位置決め孔３１、長切欠３２、を備える場合について説明したが、これに限定されるものではなく、着脱可能であればどのような構造であってもよい。
【００９０】
さらに、前記実施の形態では、真空弁コントローラ１４が挿込みピン１５ａ，１５ａを有するブラケット１５を介して汚水ます２の本体２０に着脱可能に取り付けられる場合について説明したが、これに限定されるものではなく、着脱可能であればどのような構造であってもよい。
【００９１】
そして、前記実施の形態では、架台３の両端が支持具としてのステー４，４に支持される場合について説明したが、これに限定されるものではなく、１箇所で支持するものでもよいし、３箇所以上支持するものでもよい。
【００９２】
また、前記実施の形態では、真空弁コントローラ１４のブラケット１５に挿込みピン１５ａを設け、汚水ます２の本体２０の支持体２１に挿込み孔２１ａを設ける場合について説明したが、ブラケット１５に挿込み孔を設け、支持体２１に挿込みピンを設けるものであってもよい。
【図面の簡単な説明】
【００９３】
【図１】本発明の最良の実施の形態の真空弁装置の取付構造の構成を説明する斜視図である。
【図２】真空式下水道システムの全体構成を説明する説明図である。
【図３】本発明の最良の実施の形態の真空弁装置の取付構造を横から見た断面図である。
【図４】本発明の最良の実施の形態の真空弁装置の取付構造を上から見た断面図である。
【図５】接続口と流出口との接続構造を説明する斜視図である。
【図６】真空弁コントローラの取付構造を説明する斜視図である。
【図７】真空弁装置の取付し方を説明する横から見た断面図である。
【図８】架台とブラケットの構成を説明する平面図である。
【図９】本発明の最良の実施の形態の真空弁装置の取付構造の構成を詳細に説明する説明図である。（ａ）は平面図であり、（ｂ）は側面図である。
【符号の説明】
【００９４】
Ｕ          真空弁付き汚水ます
Ｃ          真空弁装置の取付構造
１１        真空弁
１２        検知管
１３        吸込管
１４        真空弁コントローラ
１５        ブラケット
１５ａ      挿込みピン
１６        接続口
１６ａ      Ｏリング
１７        流出管
１７ａ      フランジ面
１８        ヘルール継手
２          汚水ます
２０        本体
２１        支持体
２１ａ      挿込み孔
３          架台
３１        位置決め孔
３２        長切欠
４          ステー（支持具）
４１        位置決めピン
４２        長孔
４３        蝶ねじ
【図１】
0004972031.tif 000002
【図２】
0004972031.tif 000003
【図３】
0004972031.tif 000004
【図４】
0004972031.tif 000005
【図５】
0004972031.tif 000006
【図６】
0004972031.tif 000007
【図７】
0004972031.tif 000008
【図８】
0004972031.tif 000009
【図９】
0004972031.tif 000010